(57)【要約】【課題】１枚のコア材の両面に複数のタグラベル貼付用荷札台紙が形成され、コア材から剥がし取って使用できるようにし、タグラベルを外したときにはその証拠が残るようにしたタグラベル貼付用荷札台紙シートを提供することを目的とする。【解決手段】コア材の表裏に、接着剤を介して、タグラベル貼付用台紙基材が剥離可能に貼り合わされ、タグラベル貼付用台紙基材にはタグラベル貼付用台紙をコア材から引き剥がすための切込みが形成されたタグラベル貼付用台紙シートであって、タグラベル貼付用台紙は、タグラベル貼付部と、タグラベル貼付部の延長上にあって、タグラベル貼付用荷札台紙を荷物に固定するための帯部からなり、前記帯部の先端部付近片側には、帯部を折り返してタグラベル貼付部に一時固定させるための固定構造が形成されたタグラベル貼付用荷札台紙シートを提供する。【選択図】  図１
2008003433.tif 000002
【特許請求の範囲】
【請求項１】
コア材の表裏に、接着剤を介して、タグラベル貼付用台紙基材が剥離可能に貼り合わされ、タグラベル貼付用台紙基材にはタグラベル貼付用台紙をコア材から引き剥がすための切込みが形成されたタグラベル貼付用台紙シートであって、
タグラベル貼付用台紙は、タグラベル貼付部と、タグラベル貼付部の延長上にあって、タグラベル貼付用荷札台紙を荷物に固定するための帯部からなり、
前記帯部の先端部付近片側には、帯部を折り返してタグラベル貼付部に一時固定させるための固定構造が形成されたことを特徴とするタグラベル貼付用台紙シート。
【請求項２】
請求項１に記載のタグラベル貼付用台紙シートにおいて、
タグラベル貼付用台紙のタグラベル貼付部には、タグラベル貼付用台紙基材を貫通する切込みが形成されたことを特徴とするタグラベル貼付用台紙シート。
【発明の詳細な説明】
【技術分野】
【０００１】
本発明は、タグラベル貼付用荷札台紙シートに関し、詳しくは、１枚のコア材の両面に複数のタグラベル貼付用荷札台紙が形成され、コア材から剥がし取って使用できるようにし、タグラベルを外したときにはその証拠が履歴として残るようにしたタグラベル貼付用荷札台紙シートに関する。
【背景技術】
【０００２】
航空機やトラックなどで荷物を輸送する場合、荷物にタグを取り付けたり、伝票を貼付して、そこに記載された所有者情報や送付先情報に基づいて輸送が行われる。
とりわけ、人が航空機で移動する場合、客席に持ち込めない大きな手荷物は、搭乗窓口で所有者情報を表示したタグなどが取り付けられて人とは別に輸送される。
これら荷物に添付されるタグにはさまざまな形態がある。例えば、搭乗券情報と関連する所有者の識別情報が荷札に記載され、紐や、針金で荷物の取っ手に取り付けられて使用される形態や、搭乗券情報と関連する所有者の識別情報が粘着ラベルなどにプリントされ、手荷物に貼付されて使用される形態などがある。
【０００３】
前述の荷札に所有者の識別情報が記載され、紐や、針金で荷物の取っ手に取り付けられて使用される形態は、輸送中に荷札が手荷物から脱落する危険性がある。
また、紐や、針金が荷物から解かれ、別な情報がプリントされた荷札に付け替えられる危険性がある。
そこで、粘着ラベルに所有者情報や送付先情報を記載して直接荷物に貼付する形態が利用されているが、荷物に貼付されたタグラベルは、役割が終わって剥がそうとしても容易には剥れない。
また、ビジネスや観光で携帯頻度が多い荷物には、複数のラベルが貼付され、どのラベルが現在使用されているラベルであるか判らなくなっていることが有り、必ずしも好評ではない。
そこで、荷物へ簡単かつ確実に取付けることができると共に、構成を簡素化して生産性を向上させ、製造コストを安くし得る宅配便用複写伝票の荷札用台紙が提供されている（例えば、特許文献１参照）。
特許文献１に記載の宅配便用複写伝票の荷札用台紙は、宅配便用複写伝票を貼付できる大きさに形成した荷札用台紙本体を有し、前記台紙本体は台紙本体の一方の端部側中央部に位置させ、巾方向に所定の間隔を存して開設した一対のゴム挿通孔と、この両挿通孔からそれぞれ前記台紙本体の他端側方向に向けて設けた所定長さの二本の切込線及びこの両切込線の先端部を連結して設けた連結切込線を施して形成した取付用輪ゴム係入用のガイド片とを備えた宅配便用複写伝票の荷札用台紙である。
【０００４】
【特許文献１】特開２００１−１０９３７８号公報
【発明の開示】
【発明が解決しようとする課題】
【０００５】
特許文献１に記載されている宅配便用複写伝票の荷札用台紙は、台紙に輪ゴムを取り付ける必要があり取り付け効率が悪い。
そこで、本発明は、１枚のコア材の両面に複数のタグラベル貼付用荷札台紙が形成され、コア材から剥がし取って使用できるようにし、タグラベルを外したときにはその証拠が残るようにしたタグラベル貼付用荷札台紙シートを提供することを目的とする。
【課題を解決するための手段】
【０００６】
上記目的を達成するために、本発明のタグラベル貼付用荷札台紙シートの第１の態様は、コア材の表裏に、接着剤を介して、タグラベル貼付用台紙基材が剥離可能に貼り合わされ、タグラベル貼付用台紙基材にはタグラベル貼付用台紙をコア材から引き剥がすための切込みが形成されたタグラベル貼付用台紙シートであって、タグラベル貼付用台紙は、タグラベル貼付部と、タグラベル貼付部の延長上にあって、タグラベル貼付用荷札台紙を荷物に固定するための帯部からなり、前記帯部の先端部付近片側には、帯部を折り返してタグラベル貼付部に一時固定させるための固定構造が形成されたことを特徴とするものである。
【０００７】
また、第二の態様は、第一の態様において、タグラベル貼付用台紙のタグラベル貼付部には、タグラベル貼付用台紙基材を貫通する切込みが形成されたことを特徴とするものである。
【発明の効果】
【０００８】
１）第１の態様のように、コア材の表裏に、接着剤を介して、タグラベル貼付用台紙基材が剥離可能に貼り合わされ、タグラベル貼付用台紙基材にはタグラベル貼付用台紙をコア材から引き剥がすための切込みが形成されたタグラベル貼付用台紙シートであって、タグラベル貼付用台紙は、タグラベル貼付部と、タグラベル貼付部の延長上にあって、タグラベル貼付用荷札台紙を荷物に固定するめの帯部からなり、前記帯部の先端部付近片側には、帯部を折り返してタグラベル貼付部に一時固定させるための固定構造が形成されたことによって、荷物を傷つけず、また簡単に外れず、しかし荷物から外したいときには鋏等の道具を必要としないタグラベル貼付用台紙を提供することができる。
また、コア材の両面にタグラベル貼付用台紙が形成されているために、表裏のタグラベル貼付用台紙は、コア材を兼用することができ、タグラベル貼付用台紙のコストを低く抑えることができる。
さらに、コア材の両面にタグラベル貼付用台紙が形成されているために、タグラベル貼付用台紙シートにカールが発生しにくく、保管する場合に保管スペースを有効に利用できる。
２）また、第二の態様のように、第一の態様において、タグラベル貼付用台紙のタグラベル貼付部には、タグラベル貼付用台紙基材を貫通する切込みが形成されたことによって、タグラベル貼付部に貼付されたタグラベルが外されたときに、切込み部分は剥がれ易く、破壊され易くなり、剥がされた切片は剥がされたタグラベルに貼付されるため、その証拠が残るようにすることができる。
【発明を実施するための最良の形態】
【０００９】
以下、図面を参照して本発明のタグラベル貼付用荷札台紙シートについて説明する。
図１は、本発明のタグラベル貼付用荷札台紙シートの一例について説明するための図，図２は、タグラベル貼付用荷札台紙について説明するための図，図３は、図１のＡ−Ａ線断面図，図４は、本発明のタグラベル貼付用荷札台紙を荷物の取っ手に取り付ける直前の状態について説明するための図，図５は、固定構造でタグラベル貼付用荷札台紙を取っ手に一時的に固定した状態について説明するための図，図６は、タグラベル貼付用荷札台紙にタグラベルを貼付した状態について説明するための図，図７は、タグラベルをタグラベル貼付用荷札台紙から一部取り外した状態について説明するための図，である。
【００１０】
図１を参照して、本発明のタグラベル貼付用荷札台紙シートの一例について説明する。
図１に示すタグラベル貼付用荷札台紙シート１の例は、図示していないがコア材（以下、コア、または、コアシートともいう）の表裏に接着剤を介して、タグラベル貼付用台紙基材が剥離可能に貼り合わされている。
タグラベル貼付用台紙基材には、タグラベル貼付用台紙１０ｂをコア材から引き剥がすための切込み２ｂが形成されている。
タグラベル貼付用台紙１０ｂは、タグラベル貼付部（図示せず）と、タグラベル貼付部の延長上にあって、タグラベル貼付用荷札台紙を荷物に固定するめの帯部（図示せず）からなり、前記帯部の先端部付近片側には、帯部を折り返してタグラベル貼付部に一時固定させるための固定構造３ｂが形成されている。
固定構造３ｂは、コア材とタグラベル貼付用荷札台紙基紙の間に形成される。
【００１１】
タグラベル貼付用荷札台紙シート１には、材料を有効に使用するためにコア材の片側にタグラベル貼付用荷札台紙「Ｂ」１０ｂ，タグラベル貼付用荷札台紙「Ａ」１０ａが図のように形成されている。
タグラベル貼付用荷札台紙の形状によって、例えば、片側に４面，６面付け合せてもよい。
図示しないが、コア材の裏側にも、図１に示すと同様の面付けで、タグラベル貼付用荷札台紙が形成される。
タグラベル貼付用荷札台紙１０ｂは、荷物に取り付けられるために、タグラベル貼付用荷札台紙シート１から、タグラベル貼付用荷札台紙と接着剤の境界、または、コア材と接着剤の境界で剥がされ、切込み２ｂの部分でコア材から剥ぎ取られる。
このときに、固定構造３ｂは、タグラベル貼付用荷札台紙１０ｂ側に伴われて剥ぎ取られる。
切込み２１ｂは、タグラベル貼付用台紙基材を貫通するように形成されたことによって、タグラベル貼付部に貼付されたタグラベルが外されたときに、切込み部分は剥がれ易く、破壊され易くなり、剥がされた切片は剥がされたタグラベルに貼付されるため、その証拠が残るようにすることができる。
【００１２】
図２を参照して、タグラベル貼付用荷札台紙１０について説明する。
タグラベル貼付用荷札台紙１０は、タグラベル貼付部１０１と、タグラベル貼付部の延長上にあって、タグラベル貼付用荷札台紙１０を荷物に固定するめの帯部１０２からなり、前記帯部１０２の先端部付近片側には、帯部１０２を折り返してタグラベル貼付部１０１に一時固定させるための固定構造３が形成されている。
また、タグラベル貼付部１０１には、タグラベル貼付位置６０の内側に、タグラベル貼付用台紙基材を貫通する切込み２１が形成される。
切込みの形状は、図に示すような楔型の形状でもよいし、半円などの形状でもよく、また、二重の刃型による切込みでもよい。
また、例えば、図に示す切込みの根元を絞った矢尻型の形状にすることも効果的で、図に示す形状に拘るものではない。
また、タグラベル貼付部１０１に対する帯部１０２の取り付け形状や、取り付け位置は、図のような位置に拘るものではなく、タグラベル貼付用台紙基材を無駄なく利用できる形状であればよい。
【００１３】
図３を参照して、図１のＡ−Ａ線断面について説明する。
一枚のコア５の片面に、タグラベル貼付用台紙基材１００が接着剤４によって剥離可能に貼りあわされている。図に示す例では、コア５の残る片面にも同様の材料が、同様の構成で形成されている。
図に示す構成では、タグラベル貼付用台紙基材１００は、接着剤４との境界で剥離する構造にしている。このときに、固定構造３ｂは、タグラベル貼付用台紙基材１００に伴われて剥ぎ取られるような構造となっている。
そのための構造として、例えば、タグラベル貼付用台紙基材１００側に軽い剥離材を塗布するが、固定構造３ｂ部分には剥離処理を行わず、接着剤４の層と共に固定構造３ｂをコア５から剥がし取る。
この場合に、固定構造３ｂとコア５との間に、剥離処理を施してもよい。
また、切込み２ａ，２ｂ，２１ａ，２１ｂは、少なくとも接着剤に到達するように形成される。
【００１４】
逆に、タグラベル貼付用台紙基材１００を、接着剤４を伴ってコア５から剥離する構造にすることもできる。
このときに、固定構造３ｂは接着剤とコア５の間に形成され、タグラベル貼付用台紙基材１００に伴われて接着剤と共に剥ぎ取られるような構造とする。
この場合に、コア５の全面に剥離処理を施す。
また、切込み２ａ，２ｂ，２１ａ，２１ｂは、コア５の一部に食い込むように形成される。
【００１５】
図４を参照して、本発明のタグラベル貼付用荷札台紙１０を荷物の取っ手７１に取り付ける直前の状態について説明する。
タグラベル貼付用荷札台紙シートから剥ぎ取られたタグラベル貼付用荷札台紙１０が荷物に取り付けられる際に、帯部１０２を、帯部１０２に形成された固定構造３が荷物の取っ手７１側になるように取っ手を潜らせ、帯部１０２を折り曲げて、帯部１０２の先端部をタグラベル貼付部１０１に固定構造３で一時固定する。
【００１６】
図５を参照して、タグラベル貼付用荷札台紙１０を、タグラベル貼付用荷札台紙１０の帯部１０２に形成された固定構造３で荷物７の取っ手７１に一時的に固定した状態について説明する
帯部１０２の先端部をタグラベル貼付部１０１に一時固定する際に、固定構造３がタグラベル貼付位置６０の内側に位置するまで引き寄せて固定する。
次に、タグ情報が印字されたタグラベル６を、タグラベル貼付部１０１に表示されたタグラベル貼付位置６０を参照しながら固定構造３を覆うように貼付する。
タグラベル貼付部１０１にタグラベル貼付位置６０が表示されていない場合は、タグラベル６をタグラベル貼付部１０１の中央に位置するように貼付する。
【００１７】
図６を参照して、タグラベル貼付用荷札台紙１０にタグラベル６を貼付した状態について説明する。
図のように、タグラベル貼付用荷札台紙の帯部１０２の先端は、タグラベル６によって、完全に覆われ固定されるために、タグラベル貼付用荷札台紙が荷物７の取っ手７１から剥がれ落ちることはない。
タグラベル貼付用荷札台紙１０を荷物７の取っ手７１に強固に固定するためには、図６に示すタグラベル６の下端が帯部１０２の下側からできるだけ多くはみ出して貼付されることが好ましく、タグラベル貼付用荷札台紙１０を設計する際に、タグラベル貼付部に対する帯部１０２の取り付け位置を可能な範囲で中央に位置させる。
【００１８】
図７を参照して、タグラベルをタグラベル貼付用荷札台紙から一部取り外した状態について説明する。
タグラベル貼付用荷札台紙１０の表面にタグラベル６が粘着剤によって貼付されているが、不正を行おうとする者が、自分の荷物に貼付されたタグラベル６をタグラベル貼付用荷札台紙１０から引き剥がして、他人のタグラベル貼付用荷札台紙に貼付しようとした場合、タグラベルの粘着剤に、タグラベル貼付用荷札台紙１０の切込み２１による楔状の切片２１０（切り取られたタグラベル貼付用荷札基材の一部）がタグラベル６側に貼付して剥がし取られる。
その結果、タグラベル貼付用荷札台紙に貼付されたタグラベルを調べることによって楔状の切片２１０が貼付していれば不正が行われたことがわかる。
【００１９】
（材料）
ここで、一部、図３を参照して、タグラベル貼付用荷札台紙シートに使用される材料の一例について説明する。
本発明のタグラベル貼付用荷札台紙シートの「タグラベル貼付用荷札台紙基材」１００として、合成紙を含むプラスチックフイルム，不織布，和紙，布等の折れや引き裂きに対して強い材料や、普通紙の比較的厚目の紙を選択して使用する。普通紙の厚目の紙を選択する場合、長繊維の紙を選択することが好ましい。
また、タグラベル貼付用荷札台紙シートの「コア材」５として、上質紙，中質紙，下級紙，色上質紙等の非塗工紙，アート紙，コート紙，軽量コート紙等の塗工紙、エンボス紙，キャストコート紙，クラフト紙等の特殊紙、等の中から表面強度が強い、密度が高い紙を選択して使用する。とりわけ、「コア材」は、塵となるために、燃焼温度が低い、再生し易い「紙」を使用することが好ましい。
また、「接着剤」４として、熱可塑性樹脂による接着剤層と剥離層からなる構造、オレフィン樹脂／非オレフィン樹脂を共押し出しされて積層された構造、親展はがきで使用されるゴム系接着主剤中に微粒子を添加した擬似接着剤構造等の、各種公知の接着構造を利用する。
また、酢酸ビニルやＥＶＡ，ポリエステル，アクリル等の熱可塑性樹脂等のエマルジョンまたはディスバージョン，ＰＶＡの水溶液等，また、ＳＢＲ，ＮＢＲ，ＮＲ，ウレタン，ポリエチレン，各種ワックス等を使用してもよい。
「タグラベル貼付用荷札台紙基材」１００，「コア材」５の表面強度、接着剤の製膜強度のバランスを選択することによって、剥離処理を省略することもできるが、「剥離剤」と併用する場合は、市販の紫外線硬化型インキのメジウム，紫外線硬化型インキにシリコーンオイルを添加したものや、シリコーンアクリレートを添加したもの等を使用する。
また、「固定構造」３ｂの固定材料として、市販の強粘タイプの粘着剤や、再剥離再粘着タイプの粘着剤等を使用する。
【産業上の利用可能性】
【００２０】
航空機，貨車，トラックなどの輸送手段を用いて荷物を移動する場合の手荷物に貼付するタグラベル貼付用荷札台紙シートとして利用できる。
【図面の簡単な説明】
【００２１】
【図１】本発明のタグラベル貼付用荷札台紙シートの一例について説明するための図である。
【図２】タグラベル貼付用荷札台紙について説明するための図である。
【図３】図１のＡ−Ａ線断面図である。
【図４】本発明のタグラベル貼付用荷札台紙を荷物の取っ手に取り付ける直前の状態について説明するための図である。
【図５】固定構造でタグラベル貼付用荷札台紙を取っ手に一時的に固定した状態について説明するための図である。
【図６】タグラベル貼付用荷札台紙にタグラベルを貼付した状態について説明するための図である。
【図７】タグラベルをタグラベル貼付用荷札台紙から一部取り外した状態について説明するための図である。
【符号の説明】
【００２２】
１      タグラベル貼付用荷札台紙シート
２，２ａ，２ｂ，２１，２１ａ，２１ｂ  切込み
３，３ｂ  固定構造
４      接着剤
５      コア，コア材，コアシート
６      タグラベル
７      荷物
１０，１０ａ，１０ｂ  タグラベル貼付用荷札台紙
６０    タグラベル貼付位置
７１    取っ手
１００  タグラベル貼付用荷札台紙基材
１０１  タグラベル貼付部
１０２  帯部
２１０  楔状の切片
【図１】
2008003433.tif 000003
【図２】
2008003433.tif 000004
【図３】
2008003433.tif 000005
【図４】
2008003433.tif 000006
【図５】
2008003433.tif 000007
【図６】
2008003433.tif 000008
【図７】
2008003433.tif 000009